(57)【特許請求の範囲】
【請求項１】
映像信号から動画像を再生し、再生した動画像から間欠的に代表画面を検出する検出手段と、
上記映像信号の付加情報を再生する付加情報再生手段と、
上記映像信号の特徴量を検出する特徴量検出手段と、
上記付加情報及び特徴量を選択的に用いて上記検出手段により検出する代表画面の間欠間隔を制御する制御手段と、
上記代表画面を記録媒体に記録するように制御する記録制御手段と
を備える映像信号記録装置。
【請求項２】
上記記録制御手段は、映像信号とともに、上記代表画面の映像信号を記録媒体に記録するように制御すること
を特徴とする請求項１に記載の映像信号記録装置。
【請求項３】
映像信号のうち代表画面が含まれる部分を示す識別信号を生成する識別信号生成手段を備え、
上記記録制御手段は、映像信号に上記識別信号を付加して、この映像信号を記録媒体に記録するように制御すること
を特徴とする請求項１に記載の映像信号記録装置。
【請求項４】
上記制御手段は、映像信号の内容に応じて上記検出手段により検出する代表画面の間欠間隔を制御すること
を特徴とする請求項１に記載の映像信号記録装置。
【請求項５】
上記制御手段は、映像信号の放送時間に応じて上記検出手段により検出する代表画面の間欠間隔を制御すること
を特徴とする請求項１に記載の映像信号記録装置。
【請求項６】
上記制御手段は、映像信号の供給元に応じて上記検出手段により検出する代表画面の間欠間隔を制御すること
を特徴とする請求項１に記載の映像信号記録装置。
【請求項７】
映像信号から動画像を再生し、再生した動画像から間欠的に代表画面を検出する検出手段と、
上記映像信号の特徴量を検出する特徴量検出手段と、
上記特徴量検出手段により検出され、一定期間の画像の動き量又はテロップ量の平均値を含む特徴量と、動き量又はテロップ量の上限値及び下限値とに基づいて、上記動画像の間引き率を制御して、上記検出手段により検出する代表画像の間欠間隔を制御する制御手段と、
上記代表画面を記録媒体に記録するように制御する記録制御手段と
を備える映像信号記録装置。
【請求項８】
上記記録制御手段は、映像信号とともに、上記代表画面の映像信号を記録媒体に記録するように制御すること
を特徴とする請求項７に記載の映像信号記録装置。
【請求項９】
映像信号のうち代表画面が含まれる部分を示す識別信号を生成する識別信号生成手段を備え、
上記記録制御手段は、映像信号に上記識別信号を付加して、この映像信号を記録媒体に記録するように制御すること
を特徴とする請求項７に記載の映像信号記録装置。
【請求項１０】
上記特徴量検出手段は、映像信号の動き量を検出し、
上記制御手段は、上記動き量に応じて上記検出手段により検出する代表画面の間欠間隔を制御すること
を特徴とする請求項７に記載の映像信号記録装置。
【請求項１１】
上記特徴量検出手段は、映像信号のテロップ信号を検出し、
上記制御手段は、上記テロップ信号に応じて上記検出手段により検出する代表画面の間欠間隔を制御すること
を特徴とする請求項７に記載の映像信号記録装置。
【請求項１２】
上記特徴量検出手段は、映像信号の場面変化点を検出し、
上記制御手段は、上記場面変化点に応じて上記検出手段により検出する代表画面の間欠間隔を制御すること
を特徴とする請求項７に記載の映像信号記録装置。
【請求項１３】
映像信号から動画像を再生し、
上記映像信号の付加情報を再生し、
上記放送された映像信号の特徴量を検出し、
上記付加情報及び特徴量を選択的に用いて検出する代表画面の間欠間隔を変化させ、再生した動画像から間欠的に代表画面を検出し、
上記代表画面を記録媒体に記録するように制御すること
を特徴とする映像信号記録方法。
【請求項１４】
映像信号から動画像を再生し、
上記映像信号の一定期間の画像の動き量又はテロップ量の平均値を含む特徴量を検出し、
上記特徴量と動き量又はテロップ量の上限値及び下限値とに基づいて、上記動画像の間引き率を制御して、検出する代表画面の間欠間隔を変化させ、再生した動画像から間欠的に代表画面を検出し、
上記代表画面を記録媒体に記録するように制御すること
を特徴とする映像信号記録方法。
【発明の詳細な説明】
【０００１】
【発明の属する技術分野】
本発明は、テレビジョン放送、デジタル衛星放送等の映像信号を記録する映像信号記録装置及び映像信号記録方法に関し、特に、記録する映像信号の内容の概略を把握するための間欠映像を記録する映像信号の記録装置及び映像信号の記録方法に関する。
【０００２】
【従来の技術】
近年、テレビジョン放送やデジタル衛星放送で放送された映像信号を記録する光ディスク，ハードディスク又はデジタルビデオテープ等の記録媒体は、記憶容量が数メガから数１０ギガバイト単位となっており、大容量化が進んでいる。そのため、このような大容量の記録媒体では、テレビジョン放送等を数時間から数１０時間といった長時間の連続記録が可能となっている。
【０００３】
【発明が解決しようとする課題】
ところで、このような記録媒体を用いてテレビジョン放送等の記録をした場合、記録容量が非常に大きいことから、記録した後に高速再生等をしたとしても短時間で全ての内容を確認することができない。そのため、このような大容量の記録媒体を用いてテレビジョン放送等を記録する場合には、記録した内容の概略や各番組等の記録位置の情報等を確認できる機能が必要となる。
【０００４】
しかしながら、従来記録媒体に記録した映像信号の内容の概略を確認することは、非常に困難であった。例えば、記録媒体に記録された内容の概略を確認するために、再生ポイントを一定時間毎に飛ばすインターバル再生が考えられるが、このインターバル再生では、記録されている映像信号の情報内容に全く関係なく再生を行ってしまい、内容がわかりにくいものとなってしまう。
【０００５】
本発明は、このような実情を鑑みてなされたものであり、放送された映像信号を記録媒体に記録した場合に、記録した内容の概略を把握することができる間欠映像を生成する映像信号記録装置及び映像信号記録方法を提供することを目的とする。
【０００６】
【課題を解決するための手段】
上述の課題を解決するために、本発明に係る映像信号記録装置は、映像信号から動画像を再生し、再生した動画像から間欠的に代表画面を検出する検出手段と、上記映像信号の付加情報を再生する付加情報再生手段と、上記映像信号の特徴量を検出する特徴量検出手段と、上記付加情報及び特徴量を選択的に用いて上記検出手段により検出する代表画面の間欠間隔を制御する制御手段と、上記代表画面を記録媒体に記録するように制御する記録制御手段とを備える。
【０００７】
この映像信号記録装置では、付加情報及び特徴量を選択的に用いて代表画面を検出して間欠的な映像信号を記録する。
【０００８】
本発明に係る映像信号記録装置は、映像信号から動画像を再生し、再生した動画像から間欠的に代表画面を検出する検出手段と、上記映像信号の特徴量を検出する特徴量検出手段と、上記特徴量検出手段により検出され、一定期間の画像の動き量又はテロップ量の平均値を含む特徴量と、動き量又はテロップ量の上限値及び下限値とに基づいて、上記動画像の間引き率を制御して、上記検出手段により検出する代表画像の間欠間隔を制御する制御手段と、上記代表画面を記録媒体に記録するように制御する記録制御手段とを備える。
【０００９】
この映像信号記録装置では、特徴量に応じて代表画面を検出して間欠的な映像信号を記録する。
【００１１】
この映像信号記録装置では、付加情報及び特徴量に応じて代表画面を検出して間欠的な映像信号を記録する。
【００１２】
本発明に係る映像信号記録方法は、映像信号から動画像を再生し、上記映像信号の付加情報を再生し、上記放送された映像信号の特徴量を検出し、上記付加情報及び特徴量を選択的に用いて検出する代表画面の間欠間隔を変化させ、再生した動画像から間欠的に代表画面を検出し、上記代表画面を記録媒体に記録するように制御することを特徴とする。
【００１３】
この映像信号記録方法では、付加情報及び特徴量を選択的に用いて代表画面を検出して間欠的な映像信号を記録する。
【００１４】
本発明に係る映像信号記録方法は、映像信号から動画像を再生し、上記映像信号の一定期間の画像の動き量又はテロップ量の平均値を含む特徴量を検出し、上記特徴量と動き量又はテロップ量の上限値及び下限値とに基づいて、上記動画像の間引き率を制御して、検出する代表画面の間欠間隔を変化させ、再生した動画像から間欠的に代表画面を検出し、
上記代表画面を記録媒体に記録するように制御することを特徴とする。
【００１５】
この映像信号記録方法では、特徴量に応じて代表画面を検出して間欠的な映像信号を記録する。
【００１７】
この映像信号記録方法では、付加情報及び特徴量に応じて代表画面を検出して間欠的な映像信号を記録する。
【００１８】
【発明の実施の形態】
以下、本発明の実施の形態である映像信号記録装置について、図面を参照しながら説明する。この実施の形態の映像信号記録装置は、放送或いは伝送された映像信号を記録媒体に記録するとともに、この映像信号の代表画面を検出し、代表画面以外の映像信号を間引き処理した間欠映像を生成する装置である。
【００１９】
図１に本発明の実施の形態の映像信号記録装置のブロック構成図を示す。
【００２０】
映像信号記録装置１は、有線で放送或いは伝送されたアナログの映像信号が入力される映像信号入力処理回路２と、カメラからの伝送信号が入力されるカメラ信号入力処理回路３と、放送され或いは伝送されたデジタルの映像信号が入力されるデジタル映像信号入力処理回路４と、無線放送された映像信号及び音声信号が入力される受信信号入力処理回路５と、映像信号入力処理回路２，カメラ信号入力処理回路３，デジタル映像信号入力処理回路４，及び受信信号入力処理回路５により入力処理された映像信号を切り換える映像信号切換回路６と、入力された映像信号の圧縮処理をする映像信号圧縮回路７とを備えている。
【００２１】
また、映像信号記録装置１は、有線で放送或いは伝送されたアナログの音声信号が入力される音声信号入力処理回路８と、マイクからの伝送信号が入力されるマイク信号入力処理回路９と、放送され或いは伝送されたデジタルの音声信号が入力されるデジタル音声信号入力処理回路１０と、音声信号入力処理回路８，マイク信号入力処理回路９，デジタル音声信号入力処理回路１０，及び受信信号入力処理回路５により入力処理された音声信号を切り換える音声信号切換回路１１と、音声信号の検出処理をする音声信号検出処理回路１２と、入力された音声信号の圧縮処理をする音声信号圧縮回路１３とを備えている。
【００２２】
また、映像信号記録装置１は、映像信号圧縮回路７により圧縮された映像信号と、音声信号圧縮回路１３により圧縮された音声信号を合成して記録媒体１５に記録する記録処理回路１４を備えている。
【００２３】
また、放送され或いは伝送される映像信号の付加情報又は各映像信号に重畳されて或いは付加されている付加情報を検出する付加情報検出回路１６と、映像信号の特徴量を検出する特徴量検出回路１７と、代表画面を検出してそれ以外の映像信号を間引く間引き処理回路１８とを備えている。
【００２４】
また、映像信号記録装置１は、付加情報及び特徴量に基づき間引き処理回路１８を制御し及び各回路を制御するシステムコントローラ２０と、このシステムコントローラ２０が参照するデータを格納しているデータベース２１と、このシステムコントローラ２０に操作入力情報を供給する操作入力処理回路２２とを備えている。
【００２５】
映像信号入力処理回路２には、例えば有線で放送されるアナログの映像信号や伝送されたアナログの映像信号が入力される。映像信号入力処理回路２は、このアナログの映像信号を復調等してベースバンドの映像信号に変換し、このベースバンドの映像信号をデジタルの映像信号に変換して映像信号切換回路６に供給する。
【００２６】
カメラ信号入力処理回路３には、例えばビデオカメラで撮影した映像信号が入力される。カメラ信号入力処理回路３は、ビデオカメラからの映像信号がアナログ信号であれば、復調等をしてベースバンドの映像信号に変換し、このベースバンドの映像信号をデジタルの映像信号に変換して映像信号切換回路６に供給する。また、カメラ信号入力処理回路３は、ビデオカメラからの映像信号がデジタル信号であれば、誤り訂正や圧縮された信号の伸張処理の復号処理等をして、映像信号切換回路６に供給する。
【００２７】
デジタル映像信号入力処理回路４には、例えばデジタル伝送された映像信号や、デジタル放送された映像信号が入力される。デジタル映像信号入力処理回路４は、入力された映像信号の復調等の処理をして、ベースバンドのデジタルデータに変換し、誤り訂正や圧縮された信号の伸張処理等をして、映像信号切換回路６に供給する。
【００２８】
受信信号入力処理回路５には、無線放送されアンテナ等により受信された映像信号及び音声信号が入力される。受信信号入力処理回路５は、受信した映像信号の復調等の処理をして、ベースバンドの映像信号に変換し、このベースバンドの映像信号をデジタルの映像信号に変換して映像信号切換回路６に供給する。さらに、映像信号がデジタル信号であれば、誤り訂正や圧縮されたデータの伸張処理等の復号処理をして、映像信号切換回路６に供給する。また、受信信号入力処理回路５は、受信した音声信号の復調等の処理をして、ベースバンドの音声信号に変換し、このベースバンドの音声信号をデジタルの音声信号に変換して音声信号切換回路１１に供給する。さらに、音声信号がデジタル信号であれば、誤り訂正や圧縮されたデータの伸張処理等の復号処理をして、音声信号切換回路１１に供給する。
【００２９】
映像信号切換回路６には、映像信号入力処理回路２，カメラ信号入力処理回路３，デジタル映像信号入力処理回路４，及び受信信号入力処理回路５からのデジタルの映像信号が入力される。このとき、入力される映像信号は、例えば色差信号のデジタル映像信号である。映像信号切換回路６は、システムコントローラ２０の制御に基づき、入力された映像信号の内いずれか１つの映像信号を選択して、映像信号圧縮回路７，付加情報検出回路１６，特徴量検出回路１７，及び間引き処理回路１８に供給する。
【００３０】
映像信号圧縮回路７には、映像信号切換回路６からのデジタルの映像信号及び後述する間引き回路１８からの間欠映像信号が入力される。映像信号圧縮回路７は、映像信号切換回路６からのデジタルの映像信号又は後述する間引き回路１８からの間欠デジタルの映像信号のいずれか、又は、両者を例えばＭＰＥＧ２（Moving Picture Experts Group 2）方式等で圧縮し記録処理回路１４に供給する。音声信号入力処理回路８には、例えば有線で放送されるアナログの音声信号や伝送されたアナログの音声信号が入力される。音声信号入力処理回路８は、このアナログの音声信号を復調等してベースバンドの音声信号に変換し、このベースバンドの音声信号をデジタルの音声信号に変換して音声信号切換回路１１に供給する。
【００３１】
マイク信号入力処理回路９には、例えばマイクで検出した音声信号が入力される。マイク信号入力処理回路９は、マイクからの音声信号がアナログ信号であれば、復調等をしてベースバンドの音声信号に変換し、このベースバンドの音声信号をデジタルの音声信号に変換して音声信号切換回路１１に供給する。また、マイクからの音声信号がデジタル信号であれば、誤り訂正や圧縮された信号の伸張処理の復号処理等をして、音声信号切換回路１１に供給する。
【００３２】
デジタル音声信号入力処理回路１０には、例えばデジタル伝送された音声信号や、デジタル放送された音声信号が入力される。デジタル音声信号入力処理回路１０は、入力された音声信号の復調等の処理をして、ベースバンドのデジタルデータに変換し、誤り訂正や圧縮された信号の伸張処理等をして、音声信号切換回路１１に供給する。
【００３３】
音声信号切換回路１１には、音声信号入力処理回路８，マイク信号入力処理回路９，デジタル音声信号入力処理回路１０，及び受信信号入力処理回路５からのデジタルの音声信号が入力される。音声信号切換回路１１は、システムコントローラ２０の制御に基づき、入力された音声信号の内いずれか１つの音声信号を選択して、音声信号検出処理回路１２に供給する。
【００３４】
音声信号検出処理回路１２には、音声信号切換回路１１からのデジタル音声信号が入力される。音声信号検出処理回路１２は、システムコントローラ２０の制御に基づき、後述する間引き処理回路１８により映像信号を間引いた後の間欠映像信号に応じた音声信号を検出し、音声信号圧縮回路１３に供給する。或いは、音声信号検出処理回路１２は、入力されたデジタル音声信号とともに、間引き処理回路１８により映像信号を間引いた後の間欠映像信号に応じた音声信号を音声信号圧縮回路１３に供給する。
【００３５】
音声信号圧縮回路１３には、音声信号検出処理回路１２からのデジタル音声信号が入力される。音声信号圧縮回路１３は、音声信号切換回路１１からのデジタルの音声信号を例えばＭＰＥＧオーディオ方式等で圧縮し記録処理回路１４に供給する。記録処理回路１４には、映像信号圧縮回路７からのデジタル映像信号及び音声信号圧縮回路１３からのデジタル音声信号が入力される。記録処理回路１４は、このデジタル映像信号とデジタル音声信号を所定のフォーマットで合成し、すなわち、記録媒体１５の記録フォーマットに応じて合成する。また、いわゆるＦＡＴ（File Allocation Table），ＴＯＣ（Table Of Contents），サブコード等と呼ばれるファイル管理情報等を記録する記録媒体に合わせて生成し、デジタル映像信号及びデジタル音声信号とともに合成する。なお、これらのファイル管理情報等は、システムコントローラ２０により生成して、記録処理回路１４が映像信号等と合成して記録も良い。そして、記録処理回路１４は、これらの記録する映像信号等を所定の方式で変調し、及び、エラー訂正符号の付加処理等をして記録媒体１５に記録をする。
【００３６】
記録媒体１５は、例えば、磁気ディスク、光磁気ディスク、光ディスク、半導体メモリ、磁気テープ等どのような記録媒体であってもよい。
【００３７】
付加情報検出回路１６には、映像信号切換回路６からのデジタル映像信号が入力される。また、付加情報検出回路１６には、アンテナからの受信信号，アナログ映像信号，カメラ信号又はデジタル映像信号の各入力映像信号とともに供給される付加情報が入力される。付加情報検出回路１６は、デジタル映像信号の画像データ以外の情報、例えば垂直帰線期間等に挿入された情報やパイロット情報、又は、デジタル映像信号のヘッダ部分等に含まれる付加情報等を検出する。また、付加情報検出回路１６は、各入力映像信号とともに供給される付加情報を検出する。この付加情報の内容については詳細を後述する。
【００３８】
特徴量検出回路１７には、映像信号切換回路６からのデジタル映像信号が入力される。特徴量検出回路１７は、映像信号から動き量やテロップ等を検出して、これらの検出した動き量やテロップ等を特徴量として出力する。特徴量検出回路１７は、検出した特徴量をシステムコントローラ２０に供給する。この動き量についは詳細を後述する。
【００３９】
間引き処理回路１８には、映像信号切換回路６からのデジタル映像信号が入力される。間引き処理回路１８は、供給されたデジタル信号から代表画面を検出し、この代表画面以外の映像を間引いた間欠映像信号を生成する。この映像信号切換回路６が画像を間引く量すなわち検出する代表画面の間隔は、システムコントローラ２０により制御される。間引き処理回路１８は、生成した間欠映像信号を映像信号圧縮回路７に供給する。
【００４０】
システムコントローラ２０には、付加情報検出回路１６からの付加情報、特徴量検出回路１７からの特徴量が供給される。システムコントローラ２０は、入力された付加情報及び特徴量に基づき、間引き処理回路１８により検出する代表画面を制御する。すなわち、映像信号の間引き量を制御する。
【００４１】
また、システムコントローラ２０は、映像信号圧縮回路７により検出する映像信号の代表画面に所定の識別信号を付加するため、記録処理回路１４に代表画面を識別する識別信号を供給する。記録処理回路１４は、識別信号を映像信号に付加して、記録媒体１５に記録する。
【００４２】
また、システムコントローラ２０は、映像信号切換回路６及び音声信号切換回路１１の切換制御処理を行う。すなわち、システムコントローラ２０は、入力された映像信号及び音声信号の種類を判断し、この切換制御処理を行う。さらに、システムコントローラ２０は、音声信号検出処理回路１２の制御を行う。つまり、システムコントローラ２０は、間引き処理回路１８により検出する代表画面に対応する音声を音声信号検出処理回路１２に検出させる。
【００４３】
また、システムコントローラ２０には、データベース２１からの制御情報等が供給される。システムコントローラ２０は、この制御情報に基づき、各種制御を行う。
【００４４】
また、システムコントローラ２０には、操作入力処理回路２２からの操作入力情報が供給される。システムコントローラ２０は、この操作入力情報に基づき、各種制御を行う。
【００４５】
つぎに、映像信号記録装置１のシステムコントローラ２０が行う上述した代表画面の検出制御について、フローチャート等を用いて説明する。
【００４６】
図２は、システムコントローラ２０が行う代表画面の検出制御の内容を示すフローチャートである。システムコントローラ２０は、映像信号記録装置１の電源等が入力されるとステップＳ１からの処理を開始する。なお、このシステムコントローラ２０は、特に示さなければステップ番号順に処理を進めるものとする。ステップＳ１において、システムコントローラ２０は、被制御回路の初期設定を行う。
【００４７】
ステップＳ２において、システムコントローラ２０は、操作入力処理回路２２からの操作入力が有るかどうかを判断する。つまり、ステップＳ２において、代表画面を検出して間欠映像を生成するかどうかを判断する。システムコントローラ２０は、操作入力が有るまでこのステップＳ２で待機し、操作入力が有ったときにステップＳ３に進む。
【００４８】
ステップＳ３において、システムコントローラ２０は、付加情報検出回路１６で検出した付加情報を読み込む。同時にシステムコントローラ２０は、特徴量検出回路１７で検出した特徴量を読み込む。なお、後述するステップＳ５において、付加情報又は特徴量のいずれかを必要としない処理をする場合は、このステップＳ３では、付加情報又は特徴量のいずれかのみを読み込む処理を行う。
【００４９】
ステップＳ４において、システムコントローラ２０は、代表画面を検出する処理の内容を決定する。このステップＳ４では、例えば、ユーザの操作入力に基づき複数の処理の中から１の処理を選択する処理を行う。その複数の処理の具体的内容については詳細を後述する。
【００５０】
ステップＳ５において、システムコントローラ２０は、ステップＳ４で決定した処理で必要な情報を、取得した付加情報及び特徴量の中から選択する。すなわち、システムコントローラ２０は、付加情報及び特徴量の内、特定のパラメータを選択して、後に間欠間隔を決定するために用いる。
【００５１】
ステップＳ６において、システムコントローラ２０は、上述したステップＳ４で決定した処理内容に基づき、代表画面の検出間隔である映像信号の間欠間隔を求め、間引き処理回路１８を制御する。
【００５２】
ステップＳ７において、識別信号を生成し、この識別信号を記録処理回路４に供給する。
【００５３】
ステップＳ８において、システムコントローラ２０は、付加情報又は特徴量が更新されたかどうかを判断する。付加情報又は特徴量が更新されたと判断する場合は、ステップＳ３からの処理を繰り返し、また、付加情報又は特徴量が更新されていないと判断する場合は、ステップＳ９に進む。
【００５４】
ステップＳ９において、システムコントローラ２０は、記録が終了したかどうかを判断する。記録が終了していないと判断する場合は、ステップＳ８からの処理を繰り返す。つまり、システムコントローラ２０は、このステップＳ８及びステップＳ９において、付加情報又は特徴量が更新し、若しくは、記録が終了するまで待機する。記録が終了したと判断する場合は、システムコントローラ２０は、このフローチャートに示す処理を終了する。
【００５５】
つぎに、上述した付加情報及び特徴量の具体的な例を挙げ、これらを用いた代表画面の検出処理の具体的な内容について説明する。
【００５６】
付加情報を用いた場合の代表画面の検出処理
付加情報検出回路１６が検出する付加情報には、例えば、番組のジャンル、放送の時間帯、放送のチャンネル等がある。
【００５７】
付加情報を用いた第１の代表画面の検出処理として、システムコントローラ２０は、番組のジャンル情報すなわち番組の放送内容の情報を用いた処理を行う。システムコントローラ２０は、図３に示すように、放送される番組が例えばニュース番組である場合と、それ以外の場合とで間引き率を変えて代表画面を検出する処理を行う。このニュース番組を記録する場合は、間引き率を高くして記録を行う。これは、ニュース番組は、音声やテロップ等による説明が多く、間引き率を大きくしてもその内容理解が可能であるからである。従って、システムコントローラ２０は、付加情報を基に、放送される番組内容を判断し、ニュース番組のように音声やテロップによる説明が多い番組の場合には、他の番組に比較して間引き率を大きくして代表画面の検出を行う。
【００５８】
このように、映像信号記録装置１では、番組に応じて間欠間隔を変えて代表画面を検出することによって、番組の内容に適した映像信号の間欠記録ができ、記録した映像信号の内容を効率的に把握することができる。
【００５９】
また、付加情報を用いた第２の代表画面の検出処理として、システムコントローラ２０は、放送時間帯の情報を用いた処理を行う。システムコントローラ２０は、図４に示すように、放送される番組がいわゆる視聴率が高いゴールデンタイムといわれる時間帯である場合と、それ以外の場合とで間引き率を変えて代表画面を検出する処理を行う。このゴールデンタイムで放送される番組を記録する場合は、他の時間帯に比較して間引き率を下げて代表画面の検出を行う。従って、システムコントローラ２０は、付加情報を基に、放送される番組時間帯を判断し、ゴールデンタイムの時間帯のように一般に視聴率が高い時間帯の場合には、他の時間帯に比較して間引き率を下げて検出を行う。
【００６０】
このように、映像信号記録装置１では、放送の時間帯に応じて間欠間隔を変えて代表画面を検出することによって、各時間帯に適した映像信号の間欠記録ができ、記録した映像信号の内容を効率的に把握することができる。
【００６１】
また、付加情報を用いた第３の代表画面の検出処理として、システムコントローラ２０は、放送チャンネルの情報を用いた処理を行う。システムコントローラ２０は、放送されるチャンネル、すなわち、放送された映像信号の供給元が複数ある場合、例えば、図５に示すようにＡチャンネル，Ｂチャンネル，及びＣチャンネルの３つのチャンネルがある場合、それぞれのチャンネルで間引き率を変えて代表画面を検出する処理を行う。例えば、Ｂチャンネルを記録する場合は高い間引き率で代表画面を検出し、Ｃチャンネルを記録する場合は中間の間引き率で代表画面を検出し、Ａチャンネルを記録する場合は低い間引き率で代表画面を検出する。
【００６２】
このように、映像信号記録装置１では、放送の供給元に応じて間欠間隔を変えて代表画面を検出することによって、各供給先に適した映像信号の間欠記録ができ、記録した映像信号の内容を効率的に把握することができる。
【００６３】
特徴量を用いた場合の代表画面の検出処理
特徴量検出回路１７が検出する特徴量には、例えば、映像の動き量すなわち各画像間の動きベクトルや、画面に挿入されているテロップを示すテロップ情報等がある。
【００６４】
特徴量を用いた第１の代表画面の検出処理として、システムコントローラ２０は、特徴量検出回路１７の検出した映像の動き量を用いた処理を行う。システムコントローラ２０は、図６に示すように、放送される番組が動き量の多いスポーツ番組の場合は低い間引き率で代表画面を検出し、ドラマや映画等の場合は、中間の間引き率で代表画面を検出し、また、ニュース番組等の場合は、高い間引き率で代表画面を検出する。なお、各番組の動き量は、瞬間的な動き量を用いて判断をせず、複数フレームの動き量を平均化した動き量をもって判断をする。また、特徴量検出処理回路１７による動き量の検出方法は、特に限定されない。さらに映像信号に付加されている動き量を用いて検出してもよい。
【００６５】
この特徴量を用いた第１の代表画面の検出処理の具体的な処理内容を、図７に示すフローチャートを用いて説明する。なお、この図７に示すフローチャートは、上述した図２の処理におけるステップＳ６の処理に対応する。
【００６６】
システムコントローラ２０は、図２に示すステップＳ１において、予め所定の閾値Ａ及び閾値Ｂをデータベース２１から読み込んでおく。これらの閾値は、映像信号の動き量から間引き率を設定する為の閾値であり、閾値Ａは動き量の上限を示す閾値で、閾値Ｂは動き量の下限を示す閾値である。従って、閾値Ａと閾値Ｂとの関係は、閾値Ａ＞閾値Ｂとなる。また、システムコントローラ２０は、図２に示すステップＳ３において、特徴量として映像信号の動き量を特徴量検出回路１７から読出しておく。なお、ここでの動き量は、各フレーム毎の動き量ではなく、例えば、３０フレームや数１０フレームといった一定時間における映像信号の平均動き量である。
【００６７】
まず、ステップＳ１１において、システムコントローラ２０は、特徴量検出回路１７から読みだした映像信号の平均動き量と閾値Ａとを比較する。平均動き量が閾値Ａよりも大きい場合は、ステップＳ１２に進む。そして、ステップＳ１２において、動き量が大きい場合の間引き率を設定し、すなわち、低間引き率に設定し、ステップＳ１６に進む。また、ステップＳ１１において、平均動き量が閾値Ａよりも小さい場合は、ステップＳ１３に進む。
【００６８】
ステップＳ１３において、システムコントローラ２０は、特徴量検出回路１７から読みだした映像信号の平均動き量と閾値Ｂとを比較する。平均動き量が閾値Ｂよりも小さい場合は、ステップＳ１４に進む。そして、ステップＳ１４おいて、動き量が中間の場合の間引き率を設定し、すなわち、中間引き率に設定し、ステップＳ１６に進む。また、ステップＳ１３において、平均動き量が閾値Ｂよりも小さい場合は、ステップＳ１５に進む。そして、ステップＳ１５において、動き量が大きい場合の間引き率を設定し、すなわち、高間引き率に設定し、ステップＳ１６に進む。
【００６９】
ステップＳ１６において、システムコントローラ２０は、代表画面検出処理を行う。すなわち、間引き制御信号を間引き処理回路１８に供給する。なお、映像信号記録装置１では、システムコントローラ２０が間欠間隔情報のみを間引き処理回路１８に供給し、間引き処理回路１８が独立に検出する代表画面を決定するように処理を行っても良いし、また、システムコントローラ２０が検出する代表画面のフレーム位置を決定して検出制御信号を間引き処理回路１８に供給し、間引き処理回路１８がこの制御信号に基づき、各代表画面を検出するように処理をしても良い。
【００７０】
ステップＳ１６において、代表画面の検出処理が終了すると、システムコントローラ２０は、処理を終了する。
【００７１】
このように、映像信号記録装置１では、動き量に応じて間欠間隔を変えて代表画面を検出することによって、番組の動きの内容に適した映像信号の間欠記録ができ、記録した映像信号の内容を効率的に把握することができる。
【００７２】
特徴量を用いた第２の代表画面の検出処理として、システムコントローラ２０は、特徴量検出回路１７の検出した映像のテロップ情報を用いた処理を行う。システムコントローラ２０は、図８に示すように、放送される番組がテロップの出現頻度（以下、テロップの出現頻度を単に、テロップ量という。）の多い例えばニュース番組等の場合は高い間引き率で代表画面を検出し、スポーツ番組等の場合は、中間の間引き率で代表画面を検出し、また、ドラマや映画等の場合は、低い間引き率で代表画面を検出する。なお、各番組のテロップ量は、瞬間的なテロップ量を用いて判断をせず、一定時間内の平均的なテロップ量をもって判断をする。また、特徴量検出処理回路１７による画面内のテロップの検出方法は、例えば、時間軸方向に連続して一定な輝度である画素を検出する方法や、近傍画素に比べて輝度レベルが高い領域を検出する方法や、画面内のエッジを検出しエッジパターンが所定の領域に連続しているものを検出する方法や、背景とのコントラストとを比較してそのヒストグラムを用いて検出する方法等が考えられるが、その方法は、特に限定されない。また、映像信号に付加されているテロップ量を用いて検出してもよい。
【００７３】
この特徴量を用いた第２の代表画面の検出処理の具体的な処理内容を、図９に示すフローチャートを用いて説明する。なお、この図９に示すフローチャートは、上述した図２の処理におけるステップＳ６の処理に対応する。
【００７４】
システムコントローラ２０は、図２に示すステップＳ１において、予め所定の閾値Ｃ及び閾値Ｄをデータベース２１から読み込んでおく。これらの閾値は、映像信号の間引き量を判断する為の閾値であり、閾値Ｃはテロップ量の上限を示す閾値で、閾値Ｄはテロップ量の下限を示す閾値である。従って、閾値Ｃと閾値Ｄとの関係は、閾値Ｃ＞閾値Ｄとなる。また、システムコントローラ２０は、図２に示すステップＳ３において、特徴量として映像信号のテロップ量を特徴量検出回路１７から読出しておく。なお、ここでのテロップ量は、各フレーム毎のテロップ量ではなく、例えば、１分や数１０分といった一定時間における映像信号の平均テロップ量である。
【００７５】
まず、ステップＳ２１において、システムコントローラ２０は、特徴量検出回路１７から読みだした映像信号の平均テロップ量と閾値Ｃとを比較する。平均テロップ量が閾値Ｃよりも大きい場合は、ステップＳ２２に進む。そして、ステップＳ２２おいて、テロップ量が大きい場合の間引き率を設定し、すなわち、高間引き率に設定し、ステップＳ２６に進む。また、ステップＳ２１において、平均テロップ量が閾値Ｃよりも小さい場合は、ステップＳ２３に進む。
【００７６】
ステップＳ２３において、システムコントローラ２０は、特徴量検出回路１７から読みだした映像信号の平均テロップ量と閾値Ｄとを比較する。平均テロップ量が閾値Ｄよりも大きい場合は、ステップＳ２４に進む。そして、ステップＳ２４おいて、テロップ量が中間の場合の間引き率を設定し、すなわち、中間引き率に設定し、ステップＳ２６に進む。また、ステップＳ２３において、平均テロップ量が閾値Ｄよりも小さい場合は、ステップＳ２５に進む。そして、ステップＳ２５おいて、テロップ量が小さい場合の間引き率を設定し、すなわち、低間引き率に設定し、ステップＳ２６に進む。
【００７７】
ステップＳ２６において、システムコントローラ２０は、代表画面検出処理を行う。すなわち、間引き制御信号を間引き処理回路１８に供給する。なお、映像信号記録装置１では、システムコントローラ２０が間欠間隔情報のみを間引き処理回路１８に供給し、間引き処理回路１８が独立に検出する代表画面を決定するように処理を行っても良いし、また、システムコントローラ２０が検出する代表画面のフレーム位置を決定して検出制御信号を間引き処理回路１８に供給し、間引き処理回路１８がこの制御信号に基づき、各代表画面を検出するように処理をしても良い。
【００７８】
ステップＳ２６において、代表画面の検出処理が終了すると、システムコントローラ２０は、処理を終了する。
【００７９】
このように、映像信号記録装置１では、テロップ量に応じて間欠間隔を変えて代表画面を検出することによって、番組のテロップの内容に適した映像信号の間欠記録ができ、記録した映像信号の内容を効率的に把握することができる。
【００８０】
また、特徴量を用いた第３の代表画面の検出処理として、システムコントローラ２０は、特徴量検出回路１７の検出した映像の動き量を用いて、シーン（場面）の切り替わり点であるいわゆるカット点を検出する処理を行う。図１０は、スポーツ番組（ここではサッカー番組）のシーンを用いて、この特徴量を用いた第３の代表画面の検出処理を具体的に示した図である。システムコントローラ２０は、図１０に示すように、時刻ｔ1のキックシーンからボールシーンに切り替わった点の画面を代表画面として検出する。また、システムコントローラ２０は、時刻ｔ2のボールシーンからヘディングシーンに切り替わった点を代表画面として検出する。
【００８１】
具体的に、システムコントローラ２０は、このようなカット点の検出を行うため、検出した各画像間の動き量を所定の閾値と比較して、動き量がこの所定の閾値よりも大きくなったときに、代表画面を検出する処理を行う。
【００８２】
このように、映像信号記録装置１では、映像信号のカット点を検出して、検出したカット点を代表画面とすることによって、映像の内容に適した映像信号の間欠記録ができ、記録した映像信号の内容を効率的に把握することができる。
【００８３】
また、特徴量を用いた第４の代表画面の検出処理として、システムコントローラ２０は、特徴量検出回路１７の検出した映像の動き量を用いて、シーン（場面）の切り替わり点であるいわゆるカット点を代表画面として検出するとともに、シーンの切り替わりが少ない映像の部分では一定間隔ごと代表画面を検出する処理を行う。図１１は、スポーツ番組（ここではサッカー番組）のシーンを用いて、この特徴量を用いた第４の代表画面の検出処理を具体的に示した図である。システムコントローラ２０は、図１１に示すように、時刻ｔ4のキックシーンからボールシーンに切り替わった点の画面を代表画面として検出する。また、システムコントローラ２０は、時刻ｔ7のボールシーンからヘディングシーンに切り替わった点を代表画面として検出する。そして、システムコントローラ２０は、このカット点を検出するとともに、時刻ｔ3，時刻ｔ5，時刻ｔ6に示すように、所定の間隔で代表画面を検出する。
【００８４】
具体的に、システムコントローラ２０は、このような検出を行うため、検出した各画像間の動き量を所定の閾値と比較して、動き量がこの所定の閾値よりも大きくなったときに代表画面を検出する処理を行うとともに、この閾値を増減させて間引き率を変化させている。
【００８５】
特徴量を用いた第４の代表画面の検出処理内容を図１２に示すフローチャートを用いて説明する。なお、この図１２に示すフローチャートは、上述した図２の処理におけるステップＳ６の処理に対応する。
【００８６】
システムコントローラ２０は、図２に示すステップＳ１において、予め所定の閾値Ｅをデータベース２１から読み込んでおく。この閾値Ｅは、予め設定されている。また、システムコントローラ２０は、図２に示すステップＳ３において、特徴量として映像信号の動き量を特徴量検出回路１７から読に出しておく。なお、ここでの動き量は、例えば、１フレーム毎の動き量である。
【００８７】
まず、ステップＳ３１において、システムコントローラ２０は、特徴量検出回路１７から読み出した映像信号の動き量と閾値Ｅとを比較する。動き量が閾値Ｅよりも小さい場合は、ステップＳ３２に進む。そして、ステップＳ３２おいて、この閾値Ｅから所定の減算値を引いて処理を終了する。また、ステップＳ３１において、動き量が閾値Ｅよりも大きい場合は、ステップＳ３３に進む。
【００８８】
ステップＳ３３において、システムコントローラ２０は、代表画面検出処理を行う。すなわち、間引き制御信号を間引き処理回路１８に供給する。なお、システムコントローラ２０は、検出する代表画面のフレーム位置を決定して検出制御信号を間引き処理回路１８に供給し、間引き処理回路１８がこの制御信号に基づき、各代表画面を検出するように処理をする。ステップＳ３３で、代表画面の検出処理が終了すると、ステップＳ３４に進む。
【００８９】
ステップＳ３４において、システムコントローラ２０は、この閾値Ｅに所定の加算値を加えて処理を終了する。
【００９０】
なお、オーディオ送信部１０は、このステップＳ３４の処理が終了すると、図２に示したステップＳ８の付加情報及び特徴量の更新があったかどうかを判断する処理に移ることになるが、この特徴量を用いた第４の代表画面の検出処理では、このステップＳ８の処理を行わず、ステップＳ９の動作が終了したかどうかを判断する。そして、動作が終了していなければ、ステップＳ３からの処理を繰り返す。
【００９１】
ここで、ステップＳ３２で閾値Ｅから一定量を引くために用いている定数である減算値と、ステップＳ３４で閾値Ｅから一定量を加えるために用いている定数である加算値の関係について説明する。閾値Ｅは、上述したように動画像を構成する時間的に連続する各画面の動き量と比較をするための値である。このシステムコントローラ２０では、動き量と閾値Ｅとの比較をして、この比較結果に応じて閾値Ｅを変化させるようになっている。すなわち、閾値Ｅの可変量は、代表画面を検出した場合に加算される加算値と、代表画面を検出しなかった場合に減算される減算値とにより決定される。この加算値と減算値の値により、入力される動画像に対する代表画面の検出量が決まる。例えば、加算値と減算値との比が１対１００であれば、入力される動画像１００枚に対し代表画面が１枚検出される。また、この閾値Ｅの可変量である加算値と減算値の絶対量が大きくなれば検出感度も大きく、平均的に代表画面が検出できる。さらに、可変量が小さければ差分の検出量に応じて代表画面の検出がばらつくことになる。
【００９２】
このように、映像信号記録装置１では、映像信号のカット点を検出するとともにシーンの切り替わりが少ない場合には一定間隔毎に代表画面を検出することにより、映像の内容に適した映像信号の間欠記録ができ、記録した映像信号の内容を効率的に把握することができる。
【００９３】
付加情報及び特徴量の両者を用いた場合の代表画面の検出処理
付加情報及び特徴量の両者を用いた第１の代表画面の検出処理として、システムコントローラ２０は、付加情報検出回路１６の検出したジャンル情報と特徴量検出回路１７の検出した映像のテロップ情報を用いた処理を行う。システムコントローラ２０は、図１３（ａ）に示すように、テロップ画が多い例えばニュース番組等の場合は高間引き率であってテロップ画を優先して検出する代表画面の検出処理を行い、スポーツ番組等の場合は低い間引き率であってテロップ画を優先して検出する代表画面の検出処理を行い、また、ドラマや映画等の番組の場合は中間引き率であってテロップ画優先の代表画面の検出処理を行う。
【００９４】
このテロップ画優先の代表画面検出とは、図１３（ｂ）に示すように、等間隔で代表画面を検出した後に、その検出した代表画面の近傍にテロップ画が存在するかどうかを判断し、近傍にテロップ画が存在する場合は、その画面を優先的に検出するものである。なお、この場合、システムコントローラ２０は、テロップは、瞬間的なテロップ量を用いて判断をする必要がある。すなわち、システムコントローラ２０は、各画面毎にテロップが存在するかどうかを特徴量検出回路１７から取得する必要がある。
【００９５】
この付加情報及び特徴量の両者を用いた第１の代表画面の検出処理の具体的な処理内容を、図１４に示すフローチャートを用いて説明する。なお、この図１４に示すフローチャートは、上述した図２の処理におけるステップＳ６の処理に対応する。
【００９６】
システムコントローラ２０は、図２に示すステップＳ３において、特徴量として映像信号のテロップ情報を特徴量検出回路１７から読み出しておく。また、このステップＳ３において、付加情報としてジャンル情報を付加情報検出回路１６から読み込んでおく。なお、ここでのテロップ情報は、各フレーム毎にテロップが存在するかどうかの情報である。
【００９７】
まず、ステップＳ４１において、システムコントローラ２０は、付加情報検出回路１６から読み出したテロップ情報に基づき、テロップが存在する各フレームに対しテロップフラグを立てる。
【００９８】
続いてステップＳ４２おいて、システムコントローラ２０は、ジャンル情報を判定して、スポーツ番組であるかどうかを判断する。ステップＳ４２でスポーツ番組であると判断すると、ステップＳ４３おいて、低間引き率に設定し、ステップＳ４７に進む。また、ステップＳ４２において、スポーツ番組でないと判断すると、ステップＳ４４に進む。
【００９９】
ステップＳ４４において、システムコントローラ２０は、さらにジャンル情報を判定して、ニュース番組であるかどうかを判断する。ステップＳ４４でニュース番組であると判断すると、ステップＳ４５において、高間引き率に設定し、ステップＳ４７に進む。また、ステップＳ４４において、ニュース番組でないと判断すると、ステップＳ４６において、中間引き率に設定し、ステップＳ４７に進む。
【０１００】
ステップＳ４７において、システムコントローラ２０は、代表画面検出処理を行う。すなわち、間引き制御信号を間引き処理回路１８に供給する。
【０１０１】
続いてステップＳ４８において、システムコントローラ２０は、検出した代表画面の近傍にテロップフラグが存在するかどうかを判断する。近傍にテロップフラグが立ったフレームが存在すると判断する場合は、ステップＳ４９に進み、上記ステップＳ４７で設定した代表画面をテロップフラグが立っているフレームに変更し処理を終了する。また、近傍にテロップフラグが立ったフレームが存在しないと判断する場合は、そのまま処理を終了する。
【０１０２】
このように、映像信号記録装置１では、ジャンル情報とテロップ情報といった付加情報と特徴量を用いて代表画面を検出することにより、映像の内容に適した映像信号の間欠記録ができ、記録した映像信号の内容をさらに効率的に把握することができる。
【０１０３】
また、付加情報及び特徴量を用いた第２の代表画面の検出処理として、システムコントローラ２０は、付加情報検出回路１６の検出した放送時間帯の情報と特徴量検出回路１７の検出した映像の動き量を用いた処理を行う。システムコントローラ２０は、図１５に示すように、放送される番組の時間帯がいわゆるゴールデンタイムといわれる時間帯である場合は上述した特徴量を用いた第４の代表画面の検出処理（以下、コマ取り代表画面検出処理という。）を用いて代表画面を検出し、 放送される番組の時間帯がゴールデンタイム以外の時間帯である場合は上述した特徴量を用いた第３の代表画面の検出処理（以下、カット点代表画面検出処理という。）を用いて代表画面を検出する。
【０１０４】
この付加情報及び特徴量の両者を用いた第２の代表画面の検出処理の具体的な処理内容を、図１６に示すフローチャートを用いて説明する。なお、この図１６に示すフローチャートは、上述した図２の処理におけるステップＳ６の処理に対応する。
【０１０５】
システムコントローラ２０は、図２に示すステップＳ１において、予め所定の閾値をデータベース２１から読み込んでおく。また、システムコントローラ２０は、図２に示すステップＳ３において、特徴量として映像信号の動き量を特徴量検出回路１７から読み出しておく。また、このステップＳ３において、付加情報として番組の放送時間帯の情報を付加情報検出回路１６から読み込んでおく。
【０１０６】
ステップＳ５１において、システムコントローラ２０は、放送時間帯の情報に基づき、ゴールデンタイムの番組であるかどうかを判断する。ゴールデンタイムであると判断すると、ステップＳ５２において、上述した図１２のフローチャートに示すコマ取り検出処理を行い処理を終了する。
【０１０７】
また、ゴールデンタイムでないと判断すると、ステップＳ５３において、所定の閾値と動き量を比較してカット点の検出を行い、このカット点を代表画面として検出する。
【０１０８】
なお、この付加情報及び特徴量を用いた第２の代表画面の検出処理として、放送時間帯によってカット点代表画面検出処理とコマ取り代表画面検出処理のいずれかに切り換える例を示したが、このカット点代表画面検出処理とコマ取り代表画面検出処理を切り換えることは放送時間帯によって切り換えるのみならず他の場合でも適用できる。例えば、１フレーム／５秒以上の間引き間隔の場合はコマ取り代表画面検出処理を行い、１フレーム／５秒以下の間引き間隔の場合はカット点代表画面検出処理を行うというように切り換えることもできる。
【０１０９】
このように、映像信号記録装置１では、付加情報及び特徴量を用いた複数の代表画面の検出処理を用いて、操作入力等に基づきこれらを必要に応じ選択して代表画面の検出を行うことにより、映像の内容に適した映像信号の間欠記録ができ、記録した映像信号の内容をさらに効率的に把握することができる。
【０１１０】
以上のように、映像信号記録装置１では、付加情報、特徴量を用いて映像信号の間欠記録を行うことにより、記録した映像の概略を容易に把握することができる。さらに、映像の内容に応じて効率的に代表画面を選択するため、短時間で記録した映像の概略がつかめる有効な間欠画像を生成することができる。
【０１１１】
つぎに、映像信号記録装置１のデータベース２１を用いた学習処理について説明する。
【０１１２】
システムコントローラ２０は、上述した付加情報や特徴量の情報、及び、ユーザが操作入力処理回路２２を用いて入力した付加情報等の情報をある一定期間の間データベース２１上に保存しておき、その情報に基づき統計処理等を行い、間引き率の設定をする。
【０１１３】
例えば、データベース２１には、図１７に示すように、放送時間帯の各間引き率の度数分布のテーブルを有している。システムコントローラ２０は、操作入力の指定等がない場合は、この度数分布を参照して、一番高い度数の間引き率を選択して、代表画面を検出する。
【０１１４】
この学習処理を用いた検出処理の具体的な処理内容を、図１８に示すフローチャートを用いて説明する。なお、この図１８に示すフローチャートは、上述した図２の処理におけるステップＳ４の処理に対応する。
【０１１５】
システムコントローラ２０は、図２に示すステップＳ１において、上述した過去の間引き率の度数分布をデータベース２１から読み込んでおく。また、システムコントローラ２０は、図２に示すステップＳ３において、付加情報を付加情報検出回路１６から読み出し、また、特徴量を特徴量検出回路１７から読み出しておく。
【０１１６】
まず、ステップＳ６１において、システムコントローラ２０は、ユーザからの間引き率の設定又は各間引き率の設定処理方法の指定があるかどうかを判断する。ユーザからの指定が有る場合は、ステップＳ６２に進み、システムコントローラ２０は、操作入力に基づき、間引き率の指定を行う。すなわち、このステップＳ６２から上述した具体的な間引き率の設定処理を行い、代表画面を検出する。また、ステップＳ６１でユーザからの指定がない場合は、ステップＳ６３に進む。
【０１１７】
ステップＳ６３において、システムコントローラ２０は、データベース２１上に間引き率の情報を示した度数分布のデータがあるかどうかを判断する。システムコントローラ２０は、データベース２１上に度数分布のデータが無いと判断した場合はステップＳ６４に進み、このステップＳ６４において、間引き率を初期値例えば中間引き率に設定して処理を終了する。また、データベース２１上に度数分布のデータがあると判断した場合はステップＳ６５に進む。
【０１１８】
ステップＳ６５において、システムコントローラ２０は、予め読み込んだ付加情報等をデータベース２１上の度数分布に加える。
【０１１９】
続いてステップＳ６６において、システムコントローラ２０は統計処理を行い、この統計処理に基づきステップＳ６７において、間引き率の設定をする。
【０１２０】
以上のように、映像信号記録装置１では、一定期間の間引き率をデータベース２１に記憶させ、このデータベース２１に記憶する情報に基づき、間引き率の設定を行うことにより、好適な間引き率の設定をすることができる。
【０１２１】
つぎに、映像信号記録装置１のシステムコントローラ２０から記録処理回路１４に供給する識別信号について説明する。
【０１２２】
システムコントローラ２０は、上述したように間引き率や検出する代表画面を求め、この間引き率等に基づき間引き処理回路１８を制御する。さらに、システムコントローラ２０は、間引き率等に応じて識別信号を記録処理回路１４に供給する。記録処理回路１４は、この識別信号を映像信号のサブコードやＩＤコードとして、この映像信号とともに記録する。
【０１２３】
例えば、光ディスクに映像信号を記録するのであれば、下記の表１に示すように、記録最小単位であるセクタ毎にサブコードを記録する。そして、再生の際には、このサブコードに基づき間欠的な映像信号の再生を行う。
【０１２４】
【表１】
0004000623.tif 000002
【０１２５】
以上のように映像信号記録装置１では、識別信号を映像信号に付加することにより、通常の映像信号を記録媒体１５に記録するとともに、この映像信号に間欠再生情報を記録することができる。すなわち、記録媒体１５上に、通常の映像信号と間欠映像信号を２種類記録することなくなり、記録媒体１５を効率的に利用することができる。従って、映像信号記録装置１では、再生した際に間欠的に再生することができ、且つ、通常の再生もすることができる映像信号を記録することができる。
【０１２６】
【発明の効果】
本発明に係る映像信号記録装置では、付加情報及び特徴量を選択的に用いて代表画面を検出して間欠的な映像信号を記録することにより、記録した内容の概略を知ることができる間欠画像を生成でき、この間欠画像を再生することにより、付加情報及び特徴量の内容に応じた映像信号を効率的に把握することができる。
【０１２７】
本発明に係る映像信号記録装置では、特徴量に応じて代表画面を検出して間欠的な映像信号を記録することにより、記録した内容の概略を把握することができる間欠映像を生成することができ、この間欠映像を再生することにより、特徴量の内容に応じた映像信号を効率的に把握することができる。
【０１２９】
本発明に係る映像信号記録方法では、付加情報及び特徴量を選択的に用いて代表画面を検出して間欠的な映像信号を記録することにより、記録した内容の概略を知ることができる間欠画像を生成でき、この間欠画像を再生することにより、付加情報及び特徴量の内容に応じた映像信号を効率的に把握することができる。
【０１３０】
本発明に係る映像信号記録方法では、特徴量に応じて代表画面を検出して間欠的な映像信号を記録することにより、記録した内容の概略を把握することができる間欠映像を生成することができ、この間欠映像を再生することにより、特徴量の内容に応じた映像信号を効率的に把握することができる。
【図面の簡単な説明】
【図１】本発明を適用した実施の形態の映像信号記録装置のブロック構成図である。
【図２】上記映像信号記録装置のシステムコントローラの処理内容を示すフローチャートである。
【図３】上記映像信号記録装置が検出する代表画面の間引き率を説明する図である。
【図４】上記映像信号記録装置が検出する代表画面の間引き率を説明する図である。
【図５】上記映像信号記録装置が検出する代表画面の間引き率を説明する図である。
【図６】上記映像信号記録装置が検出する代表画面の間引き率を説明する図である。
【図７】上記映像信号記録装置のシステムコントローラの処理内容を示すフローチャートである。
【図８】上記映像信号記録装置が検出する代表画面の間引き率を説明する図である。
【図９】上記映像信号記録装置のシステムコントローラの処理内容を示すフローチャートである。
【図１０】上記映像信号記録装置が検出する代表画面を説明する図である。
【図１１】上記映像信号記録装置が検出する代表画面を説明する図である。
【図１２】上記映像信号記録装置のシステムコントローラの処理内容を示すフローチャートである。
【図１３】上記映像信号記録装置が検出する代表画面を説明する図である。
【図１４】上記映像信号記録装置のシステムコントローラの処理内容を示すフローチャートである。
【図１５】上記映像信号記録装置が検出する代表画面の間引き率を説明する図である。
【図１６】上記映像信号記録装置のシステムコントローラの処理内容を示すフローチャートである。
【図１７】上記映像信号記録装置のデータベース２１が記憶する間引き率の度数分布を説明する図である。
【図１８】上記映像信号記録装置のシステムコントローラの処理内容を示すフローチャートである。
【符号の説明】
１  映像信号記録装置、２  映像信号入力処理回路、３  カメラ信号入力処理回路、４  デジタル映像信号入力処理回路、５  受信信号入力処理回路、７  映像信号圧縮回路、１４  記録処理回路、１５  記録媒体、１６、付加情報検出回路、１７  特徴量検出回路、１８  間引き処理回路、２０  システムコントローラ、２１  データベース、２２  操作入力処理回路
【図１】
0004000623.tif 000003
【図２】
0004000623.tif 000004
【図３】
0004000623.tif 000005
【図４】
0004000623.tif 000006
【図５】
0004000623.tif 000007
【図６】
0004000623.tif 000008
【図７】
0004000623.tif 000009
【図８】
0004000623.tif 000010
【図９】
0004000623.tif 000011
【図１０】
0004000623.tif 000012
【図１１】
0004000623.tif 000013
【図１２】
0004000623.tif 000014
【図１３】
0004000623.tif 000015
【図１４】
0004000623.tif 000016
【図１５】
0004000623.tif 000017
【図１６】
0004000623.tif 000018
【図１７】
0004000623.tif 000019
【図１８】
0004000623.tif 000020